(57)【要約】【課題】扉枠の寸法に合わせて寸法を小さくすることができる扉組立キットの提供。【解決手段】板状部材５を、縁部から５０ｍｍのところで切断して、幅寸法を４６０ｍｍから４１０ｍｍ（Ｌ２）に短くする。板状部材５の切断面の、板状部材７のダボ穴１３と対応する位置にそれぞれダボ穴１０を一対形成する。平板状主部２の縁部を板状部材５に嵌め込み、板状部材５を縁部から５０ｍｍ短く調整した分、平板状主部２の縁部を調整代側としての板状部材７のそれぞれの溝部１１に５０ｍｍ深く入り込むように嵌め込み、ダボ１４を介して板状部材５と板状部材７を接着固定して矩形の枠部３を形成する。平板状主部２の左右両縁部が板状部材７の溝部１１に、それぞれ左右２５ｍｍずつ合わせて５０ｍｍ深く入り込むように嵌め込み、これにより調整代１５、１６がなくなる。板状部材５の幅寸法(長手方向の寸法)を５０ｍｍ短く調整したことにより、扉の幅寸法６５０ｍｍとなる。【選択図】        図２
2014105564.tif 000002
【特許請求の範囲】
【請求項１】
平板状主部と、横部材組と縦部材組とでなり、前記平板状主部を縦横方向から囲んで矩形の枠部を構成する部材組とで構成された扉組立キットであって、
前記枠部には前記平板状主部の縁部を係合保持する溝部が形成され、且つ前記横部材組と縦部材組の少なくとも一方の組の少なくとも一方の溝部には調整代が設けられて、前記調整代への前記平板状主部の縁部の入り込み深さが調整できるようになっており、
一対の部材組のうち、一方が前記調整代側とすると他方は部材長さ調整側となっており、前記部材と前記平板状主部との係合保持時に前記調整代側で調整した横または高さ寸法に対応して縦または幅寸法が調整された部材組を利用することで組立て完成時に矩形の扉を作り上げられるものであることを特徴とする扉組立キット。
【請求項２】
請求項１に記載した扉組立キットにおいて、
横部材組と縦部材組の両方の組は共に調整代側と部材長さ調整側を兼用していることを特徴とする扉組立キット。
【請求項３】
請求項１または２に記載した扉組立キットにおいて、
部材長さ調整側の部材組は切断可能な素材で構成されるか、或いは異なる長さの複数のセット対で構成されていることを特徴とする扉組立キット。
【発明の詳細な説明】
【技術分野】
【０００１】
本発明は扉組立キットに係り、特に幅寸法、高さ寸法を簡単に小さくすることができる扉組立キットに関するものである。
【背景技術】
【０００２】
特許文献１に記載されるキャビネット等の扉を取り付ける際は、それぞれの扉枠の寸法に合った扉を製作する必要がある。
【先行技術文献】
【特許文献】
【０００３】
【特許文献１】特開２００７−１５９８９９号公報
【発明の概要】
【発明が解決しようとする課題】
【０００４】
しかしながら、扉をそれぞれの扉枠に合わせて製作すると、扉のコストが高くなるばかりか、製作作業に手間がかかるという問題がある。
【０００５】
本発明は上記従来の問題点に着目して為されたものであり、低コストで、幅寸法と高さ寸法を簡単に小さくすることができる扉組立キットの提供を、その目的とする。
【課題を解決するための手段】
【０００６】
本発明は上記課題を解決するためになされたものであり、請求項１の発明は、平板状主部と、横部材組と縦部材組とでなり、前記平板状主部を縦横方向から囲んで矩形の枠部を構成する部材組とで構成された扉組立キットであって、
前記枠部には前記平板状主部の縁部を係合保持する溝部が形成され、且つ前記横部材組と縦部材組の少なくとも一方の組の少なくとも一方の溝部には調整代が設けられて、前記調整代への前記平板状主部の縁部の入り込み深さが調整できるようになっており、
一対の部材組のうち、一方が前記調整代側とすると他方は部材長さ調整側となっており、前記部材と前記平板状主部との係合保持時に前記調整代側で調整した横または高さ寸法に対応して縦または幅寸法が調整された部材組を利用することで組立て完成時に矩形の扉を作り上げられるものであることを特徴とする扉組立キットである。
【０００７】
請求項２の発明は、請求項１に記載した扉組立キットにおいて、
横部材組と縦部材組の両方の組は共に調整代側と部材長さ調整側を兼用していることを特徴とする扉組立キットである。
【０００８】
請求項３の発明は、請求項１または２に記載した扉組立キットにおいて、
部材長さ調整側の部材組は切断可能な素材で構成されるか、或いは異なる長さの複数のセット対で構成されていることを特徴とする扉組立キットである。
【発明の効果】
【０００９】
本発明の扉組立キットによれば、扉枠の寸法に合わせて幅寸法を容易に小さくすることができることができる。
また、長さ寸法の異なる部材を多数準備する必要がないので、製作コストを低く抑えることが可能となる。
【図面の簡単な説明】
【００１０】
【図１】本発明の第一の実施の形態に係る扉組立キットの斜視図である。
【図２】図１の扉組立キットを組み立てて製作した扉の正面図である。
【図３】図２のＡ−Ａ断面図である。
【図４】図１の扉組立キットを組み立てて製作される扉の幅寸法を小さくする方法を説明するための正面図である。
【図５】本発明の第一の実施の形態に係る扉組立キットを幅寸法が小さくなるよう調整して組み立てた扉の正面図である。
【図６】図５の幅寸法を小さくした扉の正面図である。
【図７】本発明の第二の実施の形態に係る扉組立キットの斜視図である。
【図８】図７の扉組立キットを組み立てて製作した扉の正面図である。
【図９】図７の扉組立キットを組み立てて製作される扉の幅寸法を小さくする方法を説明するための正面図である。
【図１０】図８の幅寸法を小さくした扉の正面図である。
【発明を実施するための形態】
【００１１】
本発明の第一の実施の形態に係る扉組立キット１を図面に従って説明する。
符号２は平板状主部を示し、この平板状主部２は木製の矩形の平板によって構成されている。
符号３は枠部を示し、この枠部３は矩形の開口を有する枠状に形成されている。枠部３は一対の部材組によって構成され、この部材組は上下２つの板状部材５からなる横部材組と、左右２つの板状部材７からなる縦部材組によって構成されている。
【００１２】
板状部材５は比較的短寸法で、ある程度の厚み寸法を有している。板状部材５の内側面には溝部９が形成されており、この溝部９は板状部材５の長手方向（扉の幅方向）へ延びている。板状部材５の両端面には一対のダボ穴１０が形成されている。
【００１３】
板状部材７は長尺で板状部材５と同じ厚み寸法を有している。板状部材７の内側面には溝部１１が形成されており、この溝部１１は板状部材７の長手方向（扉の高さ方向）へ延びており、平板状主部２の高さ寸法より僅かに大きい寸法に設定されている。板状部材７の内面の上下端部にはダボ穴１０と対応する一対のダボ穴１３が形成されている。
【００１４】
上記各部材の寸法は、次の通りである。
平板状主部２の幅寸法Ｎ：５３０ｍｍ
板状部材５の幅寸法(長手方向の寸法)Ｌ１：４６０ｍｍ
板状部材７の幅寸法Ｍ：１２０ｍｍ
溝部１１の深さ寸法Ｏ：６０ｍｍ
調整代１５の寸法Ｓ１：２５ｍｍ
調整代１６の寸法Ｓ２：２５ｍｍ
【００１５】
扉組立キット１の組み立て方について説明する。
図５、６に示すように、平板状主部２の上縁部を一方の板状部材５の溝部９に嵌め込み、下縁部を他方の板状部材５の溝部９に嵌め込んで接着固定する。更に、平板状主部２の左縁部を一方の板状部材７の溝部１１に嵌め込み、右縁部を他方の板状部材７の溝部１１に嵌め込んで接着固定する。
また、板状部材７の上下縁部に設けられたダボ穴１３にダボ１４の一端側を嵌入し、他端側を板状部材５の左端面のダボ穴１０に嵌入する。ダボ穴１０、１３とダボ１４はそれぞれ接着固定する。これにより、一対の板状部材５と一対の板状部材７がダボ１４によって連結され枠部３が形成されて、枠部３の溝部９、１１によって平板状主部２の四方縁部が係合保持される。
【００１６】
図３に示すように、扉の幅寸法Ｗ１は７００ｍｍとなる。また、平板状主部２の左端面と左側の板状部材７の溝部１１の内側奥面の間には調整代１５が形成され、平板状主部２の右端面と右側の板状部材７の溝部１１の内側奥面との間には調整代１６が形成される。
【００１７】
幅寸法が５０ｍｍ短い扉の組み立て方について説明する。
まず、図４に示すように、部材長さ調整側としての板状部材５を、縁部から５０ｍｍのところで切断して、幅寸法を４６０ｍｍ（Ｌ１）から４１０ｍｍ（Ｌ２）に短くする。板状部材５の切断面の、板状部材７のダボ穴１３と対応する位置にそれぞれダボ穴１０を一対形成する。
次に、前述の扉組立キット１の組み立て方と同様に平板状主部２の縁部を板状部材５に嵌め込み、板状部材５を縁部から５０ｍｍ短く調整した分、板状部材７のそれぞれの溝部１１に対する平板状主部２の縁部の入り込み深さが５０ｍｍ大きくなるように嵌め込み、ダボ１４を介して板状部材５と板状部材７を接着固定して矩形の枠部３を形成する。
平板状主部２の左右両縁部が板状部材７の溝部１１に、それぞれ左右２５ｍｍずつ合わせて５０ｍｍ深く入り込むように嵌め込み、これにより調整代１５、１６がなくなる。
板状部材５の幅寸法（長手方向の寸法）を５０ｍｍ短く調整したことにより、扉の幅寸法Ｗ２は６５０ｍｍとなる。
上記のように板状部材５が部材長さ調整側、板状部材７が調整代側となっており、扉組立キット１は板状部材５の縁部を切断して、幅寸法（長手方向の寸法）を短く調整して、その幅寸法を簡単に小さくすることができる。
【００１８】
次に、本発明の第二の実施の形態に係る扉組立キット１８について説明する。
扉組立キット１８は、第一の実施の形態に係る扉組立キット１と略同様の構成を有するので、同様の構成部分については扉組立キット１と同じ符号を付し、その説明を省略する。
符号１９は枠部を示し、枠部１９は一対の板状部材２０ａ、２０ｂからなる横部材組、一対の板状部材２３からなる立部材組によって構成されている。
【００１９】
板状部材２０ａについて説明する。
板状部材２０ａはある程度の厚み寸法を有する平板状を為している。板状部材２０ａの内側面には溝部９より５０ｍｍ深い溝部２１が形成されており、この溝部２１は板状部材２０ａの長手方向（扉の幅方向）へ延びている。板状部材２０ａの両端面には２つのダボ穴２２が形成されている。
板状部材２０ｂは第一の実施の形態に係る扉組立キット１の板状部材５と同様の構成を有するので、同様の構成部分については板状部材５と同じ符号を付し、その説明を省略する。
【００２０】
板状部材２３について説明する。
板状部材２３は、板状部材２０ａ、板状部材２０ｂと同じ厚み寸法を有する長尺な平板状を為している。板状部材２３の内側面には溝部２５が形成されており、この溝部２５は板状部材２３の長手方向（扉の高さ方向）へ延びている。
【００２１】
符号２７は上側の一対のキャップを示し、このキャップ２７は板状部材２３の上端面を覆う形状の被覆部２９を有している。この被覆部２９の下面には溝部２５に嵌り込み溝部２５を塞ぐ嵌合部３１が固定されており、嵌合部３１の内側面には板状部材２０ａのダボ穴２２と対応するダボ３３が固定されている。
【００２２】
符号３５は下側の一対のキャップを示し、このキャップ３５は板状部材２３の下端面を覆う形状の被覆部３６を有している。この被覆部３６の上面には溝部２５に嵌り込み溝部２５を塞ぐ嵌合部３７が固定されており、嵌合部３７の内側面には板状部材２０ｂのダボ穴１０と対向する位置にダボ４１が固定されている。
【００２３】
扉組立キット１８の組み立て方について説明する。
まず、板状部材２３の溝部２５の上端側にそれぞれキャップ２７の嵌合部３１を嵌め込み板状部材２３の上端面を被覆部２９で覆い、この状態でキャップ２７を板状部材２３に接着固定する。同様に板状部材２３の溝部２５の下端側にそれぞれキャップ３５の嵌合部３７を嵌め込み、板状部材２３の下端面を被覆部３６で覆い、キャップ３５を板状部材２３に接着固定する。
【００２４】
平板状主部２の上縁部を板状部材２０ａの溝部２１に嵌め込み、下縁部を板状部材２０ｂの溝部９に嵌め込み、更に平板状主部２の左右縁部を板状部材２３の溝部２５に嵌め込んで接着固定する。
そして、キャップ２７のダボ３３を板状部材２０ａの左右のダボ穴２２にそれぞれ嵌め込み、接着固定する。同様にキャップ３５のダボ４１を板状部材２０ｂの左右のダボ穴１０にそれぞれ嵌め込み接着固定する。これにより枠部１９が形成されて、枠部１９の溝９、２１、２５によって平板状主部２の四方縁部が係合保持される。
平板状主部２の左端面と左側の板状部材２３の溝部２５の内側奥面の間には調整代１５が形成され、平板状主部２の右端面と右側の板状部材２３の溝部２５の内側奥面との間には調整代１６が形成されている。同様に、平板状主部２の上端面と板状部材２０ａの溝部２１の内側奥面の間には調整代１７が形成されている。
【００２５】
幅寸法と高さ寸法が５０ｍｍ短い扉の組み立て方について説明する。
まず、図９に示すように、板状部材２０ａと板状部材２０ｂの一端を、それぞれ縁部から５０ｍｍ短く切断する。同様に板状部材２３の一端もそれぞれ５０ｍｍ短く切断する。板状部材２０ａと板状部材２０ｂの切断面に、キャップ２７のダボ３３と対応する位置にそれぞれダボ穴２２を一対形成する。板状部材２３の切断面にも同様に、キャップ３５のダボ４１と対応する位置にそれぞれダボ穴１０を一対形成する。
【００２６】
次に、板状部材２３をそれぞれ５０ｍｍずつ短く調整した分、平板状主部２の縁部を板状部材２０ａの溝部２１に深く入り込むように嵌め込み、さらに平板状主部２の端部を板状部材２０ｂの溝部９に嵌め込む。板状部材２０ａと板状部材２０ｂを５０ｍｍ短くした分、平板状主部２の縁部を板状部材２３のそれぞれの溝部２５に左右合わせて５０ｍｍ深く入り込む。キャップ２７のダボ３３、キャップ３５のダボ４１を介して板状部材２０ａと板状部材２０ｂ、板状部材２３を接着固定して枠部１９を形成する。
板状部材２３の溝部２５に対して、平板状主部２の左右両縁部の入り込み深さが左右合わせて５０ｍｍ大きくなるように嵌め込み、これにより調整代１５、１６がなくなる。同様に、板状部材２０ａの溝部２１に対して平板状主部２の上側縁部の入り込み深さが５０ｍｍ大きくなるように嵌め込み、これにより調整代１７がなくなる。
【００２７】
板状部材２０ａ、板状部材２０ｂおよび板状部材２３の長手方向の寸法をそれぞれ５０ｍｍ短くしたことにより、扉の幅寸法及び高さ寸法はそれぞれ５０ｍｍ短くなる。板状部材２０ａと板状部材２３はそれぞれ調整代側と部材長さ調整側を兼用している。また、板状部材２０ｂは部材長さ調整側となっている。
上記のように、本発明の扉組立キット１８は板状部材２０ａと板状部材２０ｂ若しくは一対の板状部材２３のどちらか一方の縁部を切断して短く調整した分、それぞれの溝２１、２５に対して平板状主部２の縁部の入り込み深さが大きくなるように嵌め込み、接着固定することによって幅寸法と高さ寸法の少なくとも一方を簡単に小さくすることができる。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、本発明の扉組立キット１、１８はキャビネットの扉に限られず、建物のドア等に応用してもよい。
板状部材の寸法を小さくする方法は、部材組の端部を切断する方法に限られず、異なる長さの複数のセットを構成しておき、長さ寸法が短い部材組を選択して組み立てても良い。
【００２９】
本実施の形態では扉組立キット１の幅寸法Ｗ１、Ｗ２や平板状主部２の幅寸法Ｎ、溝部１１等、具体的な寸法を挙げて説明したが、これらの寸法は自由に変更することができる。
また、本実施の形態では窓のない平板状主部２を使用したが、具体的構成はこの実施の形態に限られず、例えば窓がついたものを用いてもよい。
なお、上記第一の実施の形態では、調整代１５、１６を左右の板状部材７の溝１１に形成し、上記第二の実施の形態では、調整代１５、１６を左右の板状部材７の溝１１に形成し、また調整代１７を上側の板状部材２０ａの溝２１に形成したが、本発明はこれらに限定されず、横部材組と縦部材組の少なくとも一方の組に調整代を設ければよく、また、横部材組と縦部材組を構成する板状部材の溝の少なくとも一方に調整代を設ければよい。
【産業上の利用可能性】
【００３０】
扉の製造業などに利用可能性を有する。
【符号の説明】
【００３１】
１…扉組立キット    ２…平板状主部    ３…枠部    ５…板状部材
７…板状部材    ９…溝部    １０…ダボ穴    １１…溝部    １３…ダボ穴
１４…ダボ    １５…調整代    １６…調整代    １７…調整代
１８…扉組立キット    １９…枠部    ２０ａ…板状部材
２０ｂ…板状部材    ２１…溝部    ２２…ダボ穴    ２３…板状部材
２５…溝部    ２７…キャップ    ２９…被覆部    ３１…嵌合部
３３…ダボ    ３５…キャップ    ３６…被覆部    ３７…嵌合部
４１…ダボ
Ｗ１、Ｗ２…扉の幅寸法    Ｎ…平板状主部２の幅寸法
Ｌ１、Ｌ２…板状部材５の幅寸法    Ｍ…板状部材７の幅寸法
Ｏ…溝部１１の深さ寸法    Ｓ１…調整代１５の寸法
Ｓ２…調整代１６の寸法
【図１】
2014105564.tif 000003
【図２】
2014105564.tif 000004
【図３】
2014105564.tif 000005
【図４】
2014105564.tif 000006
【図５】
2014105564.tif 000007
【図６】
2014105564.tif 000008
【図７】
2014105564.tif 000009
【図８】
2014105564.tif 000010
【図９】
2014105564.tif 000011
【図１０】
2014105564.tif 000012